(57)【要約】【課題】ＬＴＥ−アドバンスド・ネットワークにおけるセル間干渉調整のためのＡＢＳの決定方法を提供すること。【解決手段】ＬＴＥ−Ａ（Ｌｏｎｇ  Ｔｅｒｍ  Ｅｖｏｌｕｔｉｏｎ−Ａｄｖａｎｃｅｄ）ネットワークは、単位面積当たりのスペクトル効率を改善するためにマクロ及びピコ基地局（ＢＳ）が共存するヘテロジーニアスネットワークである。ここで説明されているシステム及び方法は、マクロＢＳとピコ・ユーザ機器（ＵＥ）の間の干渉調整問題に対する解決法の提供を試行している。特に、システム及び方法は、ＬＴＥ−Ａ規格によってサポートされているＡＢＳ（ａｌｍｏｓｔ  ｂｌａｎｋ  ｓｕｂｆｒａｍｅ）の概念に基づいて干渉調整を処理している。マクロＢＳは、システム全体のスループットが最適化されるよう、それらのＡＢＳ構成をマクロＢＳが連携して選択する。【選択図】図５
2013098989.tif 000002
【特許請求の範囲】
【請求項１】
被干渉ユーザ機器（ＵＥ）の数に基づいてサブフレームを調整する要求を伝送するＸ２インタフェース・モジュールと、
ミュートするサブフレームを選択する、ＡＢＳ（ａｌｍｏｓｔ  ｂｌａｎｋ  ｓｕｂｆｒａｍｅ）構成モジュールと
を備えるマクロ基地局であって、
前記Ｘ２インタフェース・モジュールが、前記選択された、ミュートされたサブフレームに関する情報を伝送する、マクロ基地局。
【請求項２】
前記ＡＢＳ構成モジュールが、複数のＡＢＳパターンから１つのＡＢＳパターンを選択することによって、ミュートするサブフレームを選択し、また、前記Ｘ２インタフェース・モジュールが、前記選択されたＡＢＳパターンを伝送することによって、前記選択されたミュートされるサブフレームに関する情報を伝送する、請求項１に記載のマクロ基地局。
【請求項３】
前記ＡＢＳ構成モジュールが共通被干渉ＵＥの数を決定し、且つ、その数が閾値より多くなると前記要求を伝送する、請求項１に記載のマクロ基地局。
【請求項４】
前記Ｘ２インタフェース・モジュールが、ミュートするサブフレームに関する情報を受け取り、また、前記ＡＢＳ構成モジュールが、ミュートするサブフレームに関する前記情報に従って、ミュートするサブフレームを選択する、請求項１に記載のマクロ基地局。
【請求項５】
ミュートするサブフレームに関する前記情報が、更新されたＡＢＳパターンを含み、また、前記ＡＢＳ構成モジュールが、複数のＡＢＳパターンから前記更新されたＡＢＳパターンを選択することによって、ミュートするサブフレームを選択する、請求項４に記載のマクロ基地局。
【請求項６】
前記Ｘ２インタフェース・モジュールが、前記更新されたＡＢＳパターンを伝送することによって、前記選択されたミュートされるサブフレームに関する情報を伝送する、請求項５に記載のマクロ基地局。
【請求項７】
前記Ｘ２インタフェース・モジュールが、ＡＢＳを調整する要求を受け取ると、サブフレームを調整する前記要求を伝送する、請求項１に記載のマクロ基地局。
【請求項８】
被干渉ユーザ機器（ＵＥ）の数に基づいてサブフレームを調整する要求を伝送するステップと、
ミュートするサブフレームを選択するステップと、
前記選択されたミュートされるサブフレームに関する情報を伝送するステップと
を含む方法。
【請求項９】
ミュートするサブフレームを選択する前記ステップが、複数のＡＢＳパターンから１つのＡＢＳパターンを選択するステップを含み、また、前記選択されたミュートされるサブフレームに関する情報を伝送する前記ステップが、前記選択されたＡＢＳパターンを伝送するステップを含む、請求項８に記載の方法。
【請求項１０】
共通被干渉ＵＥの数と、被干渉ＵＥの数との比率を決定するステップと、
前記比率が閾値より大きくなると前記要求を伝送するステップと
をさらに含む、請求項８に記載の方法。
【請求項１１】
ミュートするサブフレームに関する情報を受け取るステップと、
ミュートするサブフレームに関する前記情報に従って、ミュートするサブフレームを選択するステップと
をさらに含む、請求項８に記載の方法。
【請求項１２】
ミュートするサブフレームに関する情報を受け取る前記ステップが、更新されたＡＢＳパターンを受け取るステップを含み、また、ミュートするサブフレームを選択する前記ステップが、複数のＡＢＳパターンから前記更新されたＡＢＳパターンを選択するステップを含む、請求項１１に記載の方法。
【請求項１３】
前記選択されたミュートされるサブフレームに関する情報を伝送する前記ステップが前記更新されたＡＢＳパターンを伝送するステップを含む、請求項１２に記載の方法。
【請求項１４】
ＡＢＳを調整する要求を受け取ると、サブフレームを調整する前記要求を伝送する前記ステップが行われる、請求項８に記載の方法。
【請求項１５】
ミュートする最初のサブフレームを被干渉ユーザ機器（ＵＥ）の数の報告に基づいて選択する、ＡＢＳ（ａｌｍｏｓｔ  ｂｌａｎｋ  ｓｕｂｆｒａｍｅ）構成モジュール
を備えるマクロ基地局。
【請求項１６】
被干渉ユーザの数を報告する要求を伝送するＸ２インタフェース・モジュールをさらに備える、請求項１５に記載のマクロ基地局。
【請求項１７】
Ｘ２インタフェース・モジュールが少なくとも１つの隣接するピコ基地局に前記要求を伝送する、請求項１６に記載のマクロ基地局。
【請求項１８】
前記ＡＢＳ構成モジュールが、複数のＡＢＳパターンから１つのＡＢＳパターンを選択することによって、ミュートする最初のサブフレームを選択する、請求項１５に記載のマクロ基地局。
【請求項１９】
前記ＡＢＳ構成モジュールが、被干渉ＵＥの平均数と、前記基地局に接続されたＵＥの数及び被干渉ＵＥの前記平均数の合計との比率に基づいて前記ＡＢＳパターンを選択する、請求項１８に記載のマクロ基地局。
【請求項２０】
前記比率が、被干渉ＵＥの前記平均数、及び前記基地局に接続されたＵＥの数に対するスループット均衡のためのシステム・パラメータをさらに含む、請求項１９に記載のマクロ基地局。
【発明の詳細な説明】
【技術分野】
【０００１】
（背景技術）
ＬＴＥ−Ａ（Ｌｏｎｇ  Ｔｅｒｍ  Ｅｖｏｌｕｔｉｏｎ−Ａｄｖａｎｃｅｄ）ネットワークは、多種多様なセットの基地局（ＢＳ：Ｂａｓｅ  Ｓｔａｔｉｏｎ）を配置し、セル・サイズを縮小することによってスペクトル効率を改善するべく設計されている。図１は、一例示的ヘテロジーニアスセルラ・ネットワークを示したもので、領域内のユーザ機器（ＵＥ：Ｕｓｅｒ  Ｅｑｕｉｐｍｅｎｔ）１０２にサービスするためにマクロＢＳ１００及びピコＢＳ１０１が共存している。マクロＢＳは、大きい伝送出力（典型的な値は、マクロ・セル１０３をカバーするために４６ｄＢｍである）を使用して、規則的に、且つ、計画された方法で配置されており、また、重畳しているピコＢＳは、比較的小さい送信電力（典型的な値は３０ｄＢｍである）を使用して、乏しいカバレージで領域に配置されている（例えばピコ・セル１０４を提供してマクロ・セルのエッジをカバーしている）。このような重畳ＢＳ配置によってカバレージを改善することができ、また、スペクトルの空間再利用を増やすことによって容量利得を提供することができる。
【０００２】
ユーザ機器（ＵＥ）がオンにされると、ユーザ機器（ＵＥ）は、そのユーザ機器（ＵＥ）が接続するために適切なセル（ヘテロジーニアスセルラ・ネットワーク内のマクロ・セル又はピコ・セルのいずれであってもよい）を探索する。ＵＥは、選択すべきセルを決定するために、その周辺領域に存在しているＢＳからの参照信号（ＲＳ：Ｒｅｆｅｒｅｎｃｅ  Ｓｉｇｎａｌ）を測定する。ＵＥは、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）に基づいて、自身を最大ＲＳＲＰのＢＳに接続する。
【０００３】
図２は、マクロＢＳ及びピコＢＳからの参照信号を測定しているＵＥの実例を示したものである。ＵＥ２００は、それぞれマクロＢＳ２０１及びピコＢＳ２０２からの参照信号ＲＳ１及びＲＳ２を測定する。ＲＳ１のＲＳＲＰの方がＲＳ２のＲＳＲＰより大きい場合、ＵＥ２００は、２０３で示されているように自身をマクロＢＳに接続する。ＵＥ２００は、セル選択プロセスを周期的に実施する。後続する周期でＲＳ１のＲＳＲＰがＲＳ２のＲＳＲＰより小さくなると、ＵＥ２００は、ＵＥ２００にサービスするセルとして代わりにピコ・セルを選択することになる。ＵＥ２００は、その近隣の他のＢＳのＲＳＲＰ値を含む測定情報を周期的にその関連するセルに報告することに留意されたい。このような情報は、将来のセル選択のために使用されることになる。
【０００４】
マクロＢＳは、その送信電力が大きいため、ヘテロジーニアスネットワーク内では、ピコＢＳによってサービスされるピコＵＥは、マクロＢＳからの激しい干渉に煩わされる。ピコＵＥに対する干渉を小さくするために、マクロＢＳは、特定のサブフレームをミュートすることができ、これらのサブフレームは、ＡＢＳ（ａｌｍｏｓｔ  ｂｌａｎｋ  ｓｕｂｆｒａｍｅ）と呼ばれている。ＡＢＳ（Ａｌｍｏｓｔ  Ｂｌａｎｋ  Ｓｕｂｆｒａｍｅ）内では、ほとんどのリソースエレメント（ＲＥ：Ｒｅｓｏｕｒｃｅ  Ｅｌｅｍｅｎｔ）が空白であり、ごく少量のＲＥが若干のシステム情報を運んでいる（例えばセル特有ＲＳ及び同期信号）。ミュートされたサブフレームによる干渉レベルは低いため、マクロＢＳがＡＢＳを伝送している場合、ピコＵＥは、より速いデータ伝送速度を達成することができる。
【０００５】
図３は、一例示的ＬＴＥ−Ａフレームを示したものである。ＬＴＥ−Ａフレーム３００は、サブフレーム３０１に分割することができる。ＬＴＥ−Ａフレームには、通常、０から９の指標が付けられた１０個のサブフレームが含まれている。マクロＢＳを使用したＡＢＳ構成の場合、この実例ではサブフレーム１、２、７及び８がＡＢＳとして構成されている。１つのＢＳによって構成されるＡＢＳパターンは、ＬＴＥ−Ａネットワーク内のＸ２インタフェースを介して隣接するＢＳに示すことができることに留意されたい。ピコＢＳは、ピコＵＥの合計スループット（とりわけセルエッジＵＥスループット）が改善されるよう、マクロＢＳによって構成されるＡＢＳパターンに基づいて、サブフレーム１、２、７及び８内のそれらのセルエッジＵＥにデータ・パケットを伝送し、且つ、残りのサブフレーム内のそれらのセル中央ＵＥにサービスする。
【発明の概要】
【課題を解決するための手段】
【０００６】
例示的実施例の態様にはマクロ基地局が含まれており、マクロ基地局には、被干渉ユーザ機器（ＵＥ）の数に基づいてサブフレームを調整する要求を伝送するＸ２インタフェース・モジュールと、ミュートするサブフレームを選択する、ＡＢＳ（ａｌｍｏｓｔ  ｂｌａｎｋ  ｓｕｂｆｒａｍｅ）構成モジュールが含まれている。Ｘ２インタフェース・モジュールは、選択されたミュートされるサブフレームに関する情報を伝送する。
【０００７】
例示的実施例の追加態様には、被干渉ユーザ機器（ＵＥ）の数に基づいてサブフレームを調整する要求を伝送するステップと、ミュートするサブフレームを選択するステップと、選択されたミュートされるサブフレームに関する情報を伝送するステップとを含む方法が含まれている。
【０００８】
例示的実施例の追加態様にはマクロ基地局が含まれており、マクロ基地局には、ミュートする最初のサブフレームを被干渉ユーザ機器（ＵＥ）の数の報告に基づいて選択する、ＡＢＳ（ａｌｍｏｓｔ  ｂｌａｎｋ  ｓｕｂｆｒａｍｅ）構成モジュールが含まれている。
【０００９】
これら及び／又は他の態様は、添付図面に関する以下の本発明の実施例の記載から、より容易に理解されよう。
【図面の簡単な説明】
【００１０】
【図１】一例示的ヘテロジーニアスセルラ・ネットワークを示す図である。
【図２】マクロＢＳ及びピコＢＳからの参照信号を測定するＵＥの実例を示す図である。
【図３】一例示的ＬＴＥ−Ａフレームを示す図である。
【図４】２つの強力な干渉源にさらされているピコＵＥの実例を示す図である。
【図５】一例示的実施例による、ＡＢＳを調整することによって干渉を処理するための流れ図である。
【図６】マクロＢＳによって干渉される被干渉ピコＵＥの実例を示す図である。
【図７】一例示的実施例によるマクロ基地局のブロック図である。
【図８】一例示的実施例によるピコ基地局のブロック図である。
【図９】一例示的実施例によるユーザ機器のブロック図である。
【図１０】一例示的実施例による第１のステージの流れ図である。
【図１１】一例示的実施例による、第１のステージにおけるマクロＢＳとその隣接するピコＢＳとの間の相互作用を示す図である。
【図１２】一例示的実施例による第２のステージの流れ図である。
【図１３】一例示的実施例による、第２のステージにおけるピコＢＳと２つのマクロＢＳの間の相互作用を示す図である。
【発明を実施するための形態】
【００１１】
ＡＢＳは、ピコＵＥに対する干渉が小さくなるよう、マクロＢＳによって構成することができ、したがってＬＴＥ−Ａネットワーク内におけるピコＵＥのスループットが改善される。ピコＵＥのスループットは、個々のフレーム内に構成されるＡＢＳの数が多いほど高くなる。しかしながら、フレーム内のＡＢＳの数が多くなると、マクロＵＥが利用することができるサブフレームが少なくなり、したがってマクロＵＥのスループットが低下する。したがって例示的実施例は、マクロＵＥのスループット及びピコＵＥのスループットが良好に均衡し、且つ、システム全体のスループットが最適化されるよう、マクロＢＳのための適切なＡＢＳ比率の選択を試行する。ここで、ＡＢＳ比率は、フレーム内におけるサブフレームの総数に対するＡＢＳの数として定義される。
【００１２】
ＡＢＳ比率以外に、ＡＢＳパターン（つまり個々のフレーム内のＡＢＳの位置又はサブフレームインデックス）も、マクロＢＳによるピコＵＥの干渉を調整するために考慮される。図４は、ピコ基地局（ＢＳ）４０５に接続されたピコＵＥ４０４が２つの強力な干渉源、つまりマクロＢＳ１  ４００及びマクロＢＳ２  ４０１を有するシナリオを示したものである。この実例では、これらの２つのマクロＢＳ４００及び４０１は異なるＡＢＳ比率を有しており、したがってこれらのマクロＢＳは、４０２及び４０３で示されているように、ＡＢＳの位置が互いに整列するようにそれらのＡＢＳパターンを構成しなければならない。ＵＥのチャネル測定限界及びフィードバック限界が与えられると、これらの２つのマクロＢＳは、これらの２つのマクロＢＳによる干渉が完全に一致して整列するよう、同じＡＢＳ比率及びパターンを有するように構成することができることに留意されたい。
【００１３】
例示的実施例は、次の２つの条件、つまりマクロＵＥのスループットとピコＵＥのスループットの間に良好な均衡を有すること、及びピコＵＥの同じグループに干渉するマクロＢＳが、同じＡＢＳパターン又は少なくとも整列したＡＢＳパターンを利用することを保証すること、の２つの条件を満足する、ＡＢＳベースの干渉調整を提供するべく試行する。
【００１４】
本明細書において説明されている例示的実施例は、ＬＴＥ−Ａネットワーク内におけるマクロＢＳのピコＵＥに対する干渉の調整を対象としている。図５は、一例示的実施例による、ＡＢＳを調整することによって干渉を処理するための流れ図を示したものである。５００で開始され、定義済みＡＢＳパターン・セットが生成され、且つ、マクロＢＳに記憶される。個々のマクロＢＳは、そのＡＢＳパターンを２つのステージで構成する。
【００１５】
第１のステージ５０１で、隣接するピコＢＳからの被干渉ピコＵＥ報告に基づいて最初のＡＢＳパターンが選択される。
【００１６】
第２のステージ５０２で、ピコＢＳの要求に基づいてＡＢＳパターンが調整される。
【００１７】
マクロＢＳの被干渉ピコＵＥは、マクロＢＳによって干渉されるピコＵＥであって、リンク（マクロＢＳからピコＵＥへの）の干渉レベル（ＲＳＲＰによって測定される）が定義済み閾値より高いピコＵＥとして定義される。
【００１８】
図６は、マクロＢＳによって干渉される被干渉ピコＵＥの実例を示したものである。ピコＢＳ６０２に接続された、２つのマクロＢＳ（マクロＢＳ１  ６００及びマクロＢＳ２  ６０１）からの干渉に煩わされている４つのピコＵＥ６０３、６０４、６０５及び６０６が存在している。この実例では、強力な干渉リンク６０７（そのＲＳＲＰ値は定義済み閾値ＴＩより大きい）が示されている。この実例では、ピコＵＥ１  ６０３及びピコＵＥ２  ６０４は、２つの干渉リンクに対するマクロＢＳの干渉レベルが閾値ＴＩより高いため、マクロＢＳ１  ６００に対する２つの被干渉ＵＥである。同様に、ピコＵＥ１  ６０３及びピコＵＥ３  ６０５は、マクロＢＳ２  ６０１に対する２つの被干渉ＵＥである。さらに、ピコＵＥ１  ６０３は、マクロＢＳ１  ６００及びマクロＢＳ２  ６０１に対する共通の被干渉ＵＥである。マクロＢＳ１  ６００に対する非被干渉ＵＥは、ピコＵＥ３  ６０５及びピコＵＥ４  ６０６であり、一方、マクロＢＳ２  ６０１に対する非被干渉ＵＥは、ピコＵＥ２  ６０４及びピコＵＥ４  ６０６である。
【００１９】
例示的実施例によるハードウェア構成
【００２０】
図７は、一例示的実施例によるマクロ基地局のブロック図を示したものである。マクロＢＳ７００にはいくつかのモジュールが利用されている。ＡＢＳ構成モジュール７０１は、ＡＢＳパターンの構成又は特定のサブフレームのミューティングに関連する処理を取り扱っている。Ｘ２インタフェース・モジュール７０２は、マクロＢＳ７００が他のマクロＢＳ及びピコＢＳと情報を交換する際の通信交換及びプロトコルを取り扱っている。メモリ７０３は、定義済みＡＢＳパターン・セットを記憶している。パケット伝送モジュール７０４は、ＡＢＳ構成モジュール７０１によって決定されるＡＢＳ構成に従ってマクロＵＥへのパケットの伝送を取り扱っている。これらのモジュールは、１つ又は複数のプロセッサ上で実施することができる。
【００２１】
図８は、一例示的実施例によるピコＢＳのブロック図を示したものである。ピコＢＳ８００にはいくつかのモジュールが利用されている。干渉管理モジュール８０１は、ピコＢＳに接続されている被干渉ＵＥに対する干渉のレベルに関する処理を取り扱っており、この処理には、干渉が所定の閾値を超えたことの決定、及び干渉源の識別が含まれている。Ｘ２インタフェース・モジュール８０２は、ピコＢＳ８００が他のマクロＢＳ及びピコＢＳと情報を交換する際の通信交換及びプロトコルを取り扱っている。メモリ８０３は、被干渉ＵＥ  ＩＤ及びそれらに関連する隣接するマクロＢＳの表を記憶している。パケット伝送モジュール８０４は、対応する、隣接するマクロＢＳのＡＢＳパターンに従って、ピコＵＥへのパケットの伝送、及びピコＵＥからのパケットの伝送を取り扱っている。
【００２２】
図９は、一例示的実施例によるユーザ機器のブロック図を示したものである。ＵＥ９００にはいくつかのモジュールが利用されている。無線資源制御（ＲＲＣ）モジュール９０１は、ＵＥの近隣のＢＳ（マクロＢＳ及びピコＢＳを含む）からのＲＳＲＰ値を測定し、且つ、ＵＥ接続を実施するために利用されている。測値報告モジュール９０２は、ＵＥの対応する、接続されているＢＳ（マクロＢＳ又はピコＢＳのいずれであってもよい）にＲＳＲＰ値を報告する。パケット伝送モジュール９０３は、ＵＥの対応する、接続されているＢＳからのパケットの受取りを取り扱っている。メモリ９０４は、測値報告モジュール９０２のためのデータ（例えばＲＲＣモジュールからのＲＳＲＰ値）、及びパケット伝送モジュール９０３のためのデータを記憶している。
【００２３】
例示的実施態様
【００２４】
例示的実施例では、定義済みセットのいくつかのＡＢＳパターンが生成され、次に、すべてのマクロＢＳに記憶され、個々のＡＢＳパターンは特定のＡＢＳ比率に対応している。定義済みＡＢＳパターン・セットでは、個々のＡＢＳ比率は、１つで、且つ、唯一の固定パターンを有していることに留意されたい。表Ｉは、ＡＢＳパターン・セットの実例を示したもので、このセットは、０％から６０％までのＡＢＳ比率に対応する７つのＡＢＳパターンを有している。
【００２５】
【表１】
2013098989.tif 000003
【００２６】
個々のピコＢＳは、その隣接するマクロＢＳ毎に被干渉ピコＵＥ  ＩＤをリストにした表を維持している。上の図６に示されている実例の場合、表ＩＩは、２つのマクロＢＳに対する被干渉ピコＵＥ  ＩＤを含んだ表を示しており、与えられているＲＳＲＰ値は、単に説明用にすぎず、また、被干渉ＵＥに対する閾値は、実例として１０に設定されている。
【００２７】
【表２】
2013098989.tif 000004
【００２８】
マクロＢＳは、それらのＡＢＳパターンを周期的に、且つ、同期方式で決定する。個々のマクロＢＳは、周期毎に、使用すべきＡＢＳパターンを定義済みパターン・セットから２つのステージで推定する。
【００２９】
図１０は、例示的実施例による第１のステージの流れ図を示したものである。図７〜９の構成要素を参照する。
【００３０】
第１のステージの１００１で、個々のマクロＢＳ７００が、その接続されているＵＥの数、及びその隣接するピコＢＳに接続されているその被干渉ＵＥの数に基づいて、メモリ７０３から最初のＡＢＳパターンを選択する。この最初のＡＢＳパターンは、マクロＢＳのＡＢＳ構成モジュール７０１によって選択することができる。マクロＢＳ７００は、Ｘ２インタフェース・モジュール７０２又は他の通信方法を使用して、その隣接するピコＢＳに、これらのピコＢＳに接続されているその被干渉ピコＵＥの数に対する要求を送る。Ｘ２インタフェース・モジュール８０２でマクロＢＳ７００からの要求を受け取るピコＢＳ８００は、７０２で示されているように、接続されているＵＥ９００から測値を収集する。ピコＢＳは、干渉管理モジュール８０１を利用して測値を収集することができる。ピコＢＳ８００は、メモリ８０３に記憶されている、表ＩＩに示されている被干渉ＵＥ  ＩＤを含んだ表に基づいて、Ｘ２インタフェース・モジュール８０２を介してマクロＢＳに対する被干渉ＵＥの数を報告する。マクロＢＳが隣接するピコＢＳから所望の報告を受け取ると、ＡＢＳ構成モジュール７０１は、被干渉ピコＵＥの数
【数１】
2013098989.tif 000005
をその隣接するピコ・セル全体にわたって平均し、それは、
【数２】
2013098989.tif 000006
によって与えられる。上式でＮｋは、マクロＢＳｋに対する隣接するピコＢＳの総数であり、また、
【数３】
2013098989.tif 000007
は、ｍ番目に隣接するピコＢＳから報告される被干渉ピコＵＥの数である。また、ピコＢＳは、被干渉ＵＥの数を引き出すことができ、また、それらの接続されているＵＥの測値報告に基づいてマクロＢＳに報告することも可能であることに留意されたい。Ａｋは、マクロＢＳｋに接続されているマクロＵＥの数を表していると仮定する。マクロＢＳｋは、
【数４】
2013098989.tif 000008
によって与えられるＲｋに最も近いＡＢＳ比率を有する最初のＡＢＳパターンを選択する。上式でαｋ∈（０、１］は、マクロＵＥとピコＵＥの間のスループット均衡を捕獲するシステム・パラメータであり、また、αｋの値が大きいほど、より高いスループット利得がピコＵＥに提供される。マクロＢＳが適切なＡＢＳパターンを決定すると、マクロＢＳは、そのＡＢＳパターンを隣接するピコＢＳに知らせる。
【００３１】
図１１は、一例示的実施例による、第１のステージにおけるマクロＢＳとその隣接するピコＢＳとの間の相互作用を示したものである。１１００でマクロＢＳ７００がピコＢＳ８００に要求を送る。１１０１でピコＢＳ８００が被干渉ＵＥの数をマクロＢＳ７００に報告する。１１０２でマクロＢＳ７００が選択されたＡＢＳパターンをピコＢＳ８００に知らせる。マクロＢＳは、メモリからパターンを選択することができ、或いはミュートするサブフレームを個々に選択することができる。
【００３２】
図１２は、例示的実施例による第２のステージの流れ図を示したものである。図７〜９の構成要素を参照する。第２のステージでマクロＢＳ７００は、ピコＢＳ８００の要求に基づいて、第１のステージで得られたそれらのＡＢＳパターンを調整する。この調整は、個々のＢＳのＡＢＳ構成モジュール７０１によって実施することができる。第２のステージでピコＢＳ８００は、異なるＡＢＳパターンを使用して２つのマクロＢＳ間のＡＢＳパターン調整／整列のプロセスを初期化することができる。
【００３３】
１２００でピコＢＳ８００がマクロＢＳ７００に対する共通被干渉ＵＥ９００の数をチェックする。図６に示されている実例では、ピコＢＳ８００のセル内で伝送する２つのマクロＢＳ７００（マクロＢＳ１及びマクロＢＳ２）が存在している。ピコＢＳ８００は、干渉管理モジュール８０１を利用して共通被干渉ＵＥの数をチェックすることができる。ＵＥ９００は、測値報告モジュール９０２を利用してピコＢＳ８００への報告を作成し、且つ、パケット伝送モジュール９０３を使用してそれをピコＢＳ８００に報告することができる。
【００３４】
共通被干渉ＵＥ９００の数が定義済み閾値Ｔｐより多い場合、１２０１でピコＢＳ８００が２つのマクロＢＳ７００のうちの一方（この実例でマクロＢＳ１）に要求を送る。この要求は、ピコＢＳ８００のＸ２インタフェース・モジュール８０２によって送ることができ、また、個々のマクロＢＳ７００のＸ２インタフェース・モジュール７０２によって受け取ることができる。
【００３５】
１２０２でマクロＢＳ７００（この実例ではマクロＢＳ１）が、被干渉ＵＥ９００の数が所定の閾値Ｔｍ１より多いかどうかチェックする。マクロＢＳ７００は、ＡＢＳ構成モジュール７０１を使用してその数が所定の閾値より多いかどうか決定することができる。
【００３６】
共通被干渉ＵＥ９００の数が所定の閾値Ｔｍ１より多いことが決定されると、ＡＢＳの調整を要求するために１２０３でマクロＢＳ７００（この実例ではマクロＢＳ１）がＡＢＳを調整するための要求を他の干渉マクロＢＳ７００（この実例ではマクロＢＳ２）に伝送する。この要求は、Ｘ２インタフェース・モジュール７０２を介して送ることができる。
【００３７】
１２０４で他の干渉マクロＢＳ７００（この実例ではマクロＢＳ２）が、共通被干渉ＵＥの数が閾値Ｔｍ２より多いかどうかを決定する。他の干渉マクロＢＳ７００は、ＡＢＳ構成モジュール７０１を使用してその数が所定の閾値より多いかどうか決定することができる。
【００３８】
１２０５で、他の干渉マクロＢＳ７００（この実例ではマクロＢＳ２）が、ＡＢＳ構成モジュール７０１を使用してそのＡＢＳパターンを更新し、且つ、Ｘ２インタフェース・モジュール７０２を使用して、要求マクロＢＳ７００（この実例ではマクロＢＳ１）に更新されたパターンを知らせる。このＡＢＳパターン更新は、式（３）に従って行うことができる。
【００３９】
１２０６で、要求マクロＢＳ７００（この実例ではマクロＢＳ１）は、Ｘ２インタフェース・モジュール７０２から受け取った更新パターンに基づいてそのＡＢＳパターンを更新する。マクロＢＳ７００は、Ｘ２インタフェース・モジュール７０２を使用して、隣接するピコＢＳ８００（上記要求を送った最初のピコＢＳを含む）に更新されたＡＢＳパターンを知らせることができる。
【００４０】
図１３は、一例示的実施例による、第２のステージにおけるピコＢＳと２つのマクロＢＳの間の相互作用を示したものである。１３０３でピコＢＳ１３０２がそのセル内の２つのマクロＢＳ（マクロＢＳ１  １３００及びＢＳ２  １３０１として示されている）に対する共通被干渉ＵＥの数をチェックする。その数が定義済み閾値Ｔｐより多い場合、ピコＢＳ１３０２は、２つのマクロＢＳのうちの一方、例えばマクロＢＳ１  １３００に要求を送る。要求メッセージには、ＡＢＳパターンを調整しなければならない２つのマクロＢＳのセルＩＤ、及び共通被干渉ＵＥの数が含まれている。
【００４１】
１３０３で示されているようにマクロＢＳ１  １３００がピコＢＳ１３０２から要求を受け取ると、マクロＢＳ１  １３００は、共通被干渉ＵＥの数（ピコＢＳ１３０２によって送られる要求メッセージから得られる）が定義済み閾値Ｔｍ１より多いかどうかチェックする。共通被干渉ＵＥの数が定義済み閾値Ｔｍ１より多い場合、１３０４で示されるように、マクロＢＳ１  １３００は、他のマクロＢＳ、つまりマクロＢＳ２  １３０１にＡＢＳを調整するための要求を送る。この要求メッセージには、それに接続されているマクロＵＥの数Ａ１、その被干渉ＵＥの平均数、つまり式（１）で与えられる
【数５】
2013098989.tif 000009
及び２つのマクロＢＳに対する共通被干渉ＵＥの数（ピコＢＳからの要求メッセージから得られる）が含まれている。
【００４２】
１３０４で示されているようにマクロＢＳ２  １３０１がマクロＢＳ１  １３００から要求を受け取ると、マクロＢＳ２  １３０１は、共通被干渉ＵＥの数（マクロＢＳ１によって送られる要求メッセージから得られる）が定義済み閾値Ｔｍ２より多いかどうかチェックする。共通被干渉ＵＥの数が定義済み閾値Ｔｍ２より多い場合、マクロＢＳ２  １３０１は、そのＡＢＳパターンを、
【数６】
2013098989.tif 000010
によって計算することができるＲ２’に最も近いＡＢＳ比率を有するＡＢＳパターンに変更する。マクロＢＳ２  １３０１が新しいＡＢＳパターンを決定すると、１３０５で示されるように、マクロＢＳ２  １３０１は、構成メッセージを送ることにより、この新しく構成されたＡＢＳパターンをマクロＢＳ１  １３００に知らせる。
【００４３】
マクロＢＳ１  １３００がマクロＢＳ２  １３０１から構成メッセージを受け取ると、マクロＢＳ１  １３００は、１３０６で示されているようにその新しいＡＢＳパターンについてピコＢＳ１３０２に知らせ、且つ、その新しいＡＢＳパターンに従ってそのＡＢＳパターンを変更する。
【００４４】
この詳細な説明のいくつかの部分は、コンピュータ内における動作のアルゴリズム及び記号表現の形で示されている。これらのアルゴリズムによる記述及び記号表現は、データ処理分野の技術者によって使用される、その革新の本質を他の技術者に最も有効に伝えるための手段である。アルゴリズムは、望ましい最終状態即ち結果をもたらす一連の定義済みステップである。本発明においては、実行されるステップには、実質のある結果を達成するために、実質のある量の物理的操作が必要である。
【００４５】
必ずしもその必要はないが、通常、これらの量は、電気信号又は磁気信号の形態、或いは記憶、転送、接続、比較さもなければ操作することができる命令の形態を取る。主として共通利用の理由で、しばしば、これらの信号をビット、値、エレメント、記号、文字、用語、数字、命令、等々と呼ぶことが好都合であることが分かっている。しかしながら、これら及び同様の用語は、すべて適切な物理量と接続されるべきであること、また、これら及び同様の用語は、すべて、これらの量に適用される便利なラベルにすぎないことを心に留め置かれたい。
【００４６】
他に特に言及されていない限り、説明から明らかであるように、記述全体を通して、「処理する」、「計算する」、「演算する」、「決定する」、「表示する」、等々などの用語を利用している説明には、コンピュータ・システムのレジスタ及びメモリ内で物理（電子）量として表されているデータを操作して、同様にコンピュータ・システムのメモリ又はレジスタ或いは他の情報記憶、転送又は表示デバイス内で物理量として表される他のデータに変換するコンピュータ・システム又は他の情報処理デバイスの行為及び処理を含むことができることを理解されたい。
【００４７】
また、例示的実施例は、本明細書における動作を実行するための装置に関連していてもよい。この装置は、必要な目的のために専用に構築することができ、或いは１つ又は複数のコンピュータ・プログラムによって選択的に起動又は再構成される１つ又は複数の汎用コンピュータを含むことができる。このようなコンピュータ・プログラムは、それらに限定されないが、光ディスク、磁気ディスク、リード・オンリ・メモリ、ランダム・アクセス・メモリ、固体デバイス及びドライバ、又は電子情報の記憶に適した任意の他のタイプの媒体などのコンピュータ可読記憶媒体に記憶することができる。本明細書において示されているアルゴリズム及びディスプレイは、何らかの特定のコンピュータ又は他の装置に固有に関連していない。
【００４８】
様々な汎用システムは、本明細書における教示によるプログラム及びモジュールと共に使用することができ、或いは、所望の方法ステップを実施するためのより専用化された装置を構築することが好都合であると理解することができる。さらに、本発明は、何らかの特定のプログラミング言語を参照して説明されていない。様々なプログラミング言語を使用して、本明細書において説明されている本発明の教示を実施することができることは理解されよう。１つ又は複数のプログラミング言語の命令は、１つ又は複数の処理デバイス、例えば中央処理装置（ＣＰＵ）、プロセッサ又はコントローラによって実行することができる。
【００４９】
当分野で知られているように、上で説明した動作は、ハードウェア、ソフトウェア、又はソフトウェアとハードウェアの何らかの組合せによって実施することができる。本発明の実施例の様々な態様は、回路及び論理デバイス（ハードウェア）を使用して実施することができ、一方、他の態様は、機械可読媒体上に記憶された命令（ソフトウェア）を使用して実施することができ、この命令がプロセッサによって実行されると、プロセッサは、本発明の実施例を実施する方法を実行することになる。さらに、本発明のいくつかの実施例はハードウェアのみによって実施することができ、一方、他の実施例はソフトのみによって実施することができる。さらに、上で説明した様々な機能は、単一のユニットの中で実施することができ、或いは任意の数の方法で複数のコンポーネントにわたって分散させることも可能である。ソフトウェアによって実施される場合、コンピュータ可読媒体上に記憶されている命令に基づいて、汎用コンピュータなどのプロセッサによって方法を実行することができる。命令は、必要に応じて、圧縮及び／又は暗号化フォーマットで媒体上に記憶することも可能である。
【００５０】
さらに、本明細書を考察し、且つ、本明細書において開示されている本発明を実践することにより、当業者には本発明の他の実施態様が明らかになるであろう。上で説明した実施例の様々な態様及び／又はコンポーネントは、単一で、或いは任意の組合せで使用することができる。本明細書及び実例は、単に例示的なものとして解釈すべきことが意図されており、本発明の真の範囲及び精神は、以下の特許請求の範囲によって示されている。
【符号の説明】
【００５１】
１００、２０１、７００  マクロＢＳ
１０１、２０２、６０２、８００、１３０２  ピコＢＳ
１０２、２００、９００  ユーザ機器（ＵＥ）
１０３  マクロ・セル
１０４  ピコ・セル
２０３  ＵＥ２００が自身をマクロＢＳに接続する
３００  ＬＴＥ−Ａフレーム
３０１  サブフレーム
４００、６００、１３００  マクロＢＳ１
４０１、６０１、１３０１  マクロＢＳ２
４０２、４０３  ＡＢＳの位置が互いに整列したＡＢＳパターン構成
４０４、６０３、６０４、６０５、６０６  ピコＵＥ
４０５  ピコ基地局（ＢＳ）
５００  ＡＢＳを調整することによって干渉を処理するための流れ図の開始
５０１  第１のステージ
５０２  第２のステージ
６０３  ピコＵＥ１
６０４  ピコＵＥ２
６０５  ピコＵＥ３
６０６  ピコＵＥ４
６０７  干渉リンク
７０１  ＡＢＳ構成モジュール
７０２、８０２  Ｘ２インタフェース・モジュール
７０３、８０３、９０４  メモリ
７０４、８０４、９０３  パケット伝送モジュール
８０１  干渉管理モジュール
９０１  無線資源制御（ＲＲＣ）モジュール
９０２  測値報告モジュール
【図１】
2013098989.tif 000011
【図２】
2013098989.tif 000012
【図３】
2013098989.tif 000013
【図４】
2013098989.tif 000014
【図５】
2013098989.tif 000015
【図６】
2013098989.tif 000016
【図７】
2013098989.tif 000017
【図８】
2013098989.tif 000018
【図９】
2013098989.tif 000019
【図１０】
2013098989.tif 000020
【図１１】
2013098989.tif 000021
【図１２】
2013098989.tif 000022
【図１３】
2013098989.tif 000023